(57)【特許請求の範囲】
【請求項１】
ＬＥＤパネル（１）と、
前記ＬＥＤパネル（１）の一側に設けられるマスクと、を含み、
前記マスクが複数の透光カバーユニット（１０）を含み、各透光カバーユニット（１０）がそれぞれ前記ＬＥＤパネル（１）に接着されると共に、前記ＬＥＤパネル（１）との間に前記透光カバーユニット（１０）の前記ＬＥＤパネル（１）上の接着位置を限定するための位置決め構造を有し、各前記透光カバーユニット（１０）は、前記ＬＥＤパネル（１）に向かう第１側（１１）と、前記ＬＥＤパネル（１）から離れる第２側（１２）とを有し、前記第２側（１２）は平面状に形成され、前記第１側（１１）から前記第２側（１２）への方向に沿って透光させる単一方向透光膜が前記第２側（１２）に設けられ、各前記透光カバーユニット（１０）が、前記ＬＥＤパネル（１）に向かう第１側（１１）と、前記ＬＥＤパネル（１）から離れる第２側（１２）と、を有し、前記第２側（１２）は平面状に形成され、ミラー型半透過膜が前記第２側（１２）に設けられ、各前記透光カバーユニット（１０）が、前記ＬＥＤパネル（１）に向かう第１側（１１）と、前記ＬＥＤパネル（１）から離れる第２側（１２）と、を有し、前記第２側（１２）に格子構造が設けられ、前記透光カバーユニット（１０）上の、前記ＬＥＤパネル（１）の各ＬＥＤランプに対応する位置に前記ＬＥＤランプの形状に適応する収納止まり穴（１３）が設けられることを特徴とするＬＥＤ表示装置。
【請求項２】
前記ＬＥＤパネル（１）が複数であり、各ＬＥＤパネル（１）のいずれにも、複数の前記透光カバーユニット（１０）が接着されることを特徴とする請求項１に記載のＬＥＤ表示装置。
【請求項３】
前記単一方向透光膜の単一方向透光率が６０％を超えることを特徴とする、請求項１に記載のＬＥＤ表示装置。
【請求項４】
前記透光カバーユニット（１０）の材質がガラス又はプラスチックであることを特徴とする、請求項１に記載のＬＥＤ表示装置。
【請求項５】
前記透光カバーユニット（１０）上の、前記ＬＥＤパネル（１）の各前記ＬＥＤランプに対応する位置に、前記収納止まり穴（１３）を形成するための中心止まり穴を有する突出部（１４）が設けられ、隣り合う二つの前記突出部（１４）の間に第１の溝（１５）が形成されることを特徴とする、請求項１に記載のＬＥＤ表示装置。
【請求項６】
前記第１の溝（１５）の深さが前記収納止まり穴（１３）の深さ未満であることを特徴とする、請求項５に記載のＬＥＤ表示装置。
【請求項７】
前記位置決め構造が、
前記ＬＥＤパネル（１）上に設けられる少なくとも二つの位置決め孔と、
前記透光カバーユニット（１０）上に設けられて、各位置決め孔と逐一配合する位置決めコラム（１６）と、
を含むことを特徴とする、請求項１から６のいずれか一項に記載のＬＥＤ表示装置。
【請求項８】
前記ＬＥＤパネル（１）が、ランププレートと、前記ランププレートに設けられるＬＥＤランプと、を含み、前記透光カバーユニット（１０）が前記ランププレート又は前記ＬＥＤランプに接着されることを特徴とする、請求項１に記載のＬＥＤ表示装置。
【請求項９】
前記格子構造を形成するように、前記第２側（１２）に複数の平行する第２の溝（１７）が設けられることを特徴とする、請求項１に記載のＬＥＤ表示装置。
【請求項１０】
前記第２の溝（１７）の横断面がＶ形であることを特徴とする、請求項９に記載のＬＥＤ表示装置。
【発明の詳細な説明】
【技術分野】
【０００１】
本発明は、ＬＥＤ表示技術分野に関し、具体的に、ＬＥＤ表示装置に関するものである。
【背景技術】
【０００２】
既存技術において、ＬＥＤディスプレイは一つ一つのＬＥＤランプから構成される。ＬＥＤディスプレイで表示する際、粒状感が現れると共に、撮像する時、粒状現象によってモアレが発生する。既存技術において、ＬＥＤディスプレイの外部に半透明のガラス又は半透明のプラスチックプレートを追加することで上記問題を解決しているが、当該方法によると、以下の問題が存在する。
１．運送等の原因で、ガラス又はプラスチックプレートのサイズが制限され、ディスプレイを無限に拡大することができなく、ある程度のサイズに限られている。一定のサイズを超えると、接合するしかなく、ガラス又はプラスチックプレートを接合した後、枠を用いて固定しなければならなく、即ち、各ガラス又はプラスチックプレートの周辺に枠が設けられることになる。これにより、接合による隙間が発生し、ビデオウォールの接合隙間のような明確な隙間が発生し、表示効果に影響を与える。
２．ガラス又はプラスチックプレートの固定が困難で、ＬＥＤランプ面との距離のばらつきによって、表示効果が一定にならず、表示効果に影響を与える。
【発明の概要】
【発明が解決しようとする課題】
【０００３】
本発明は、接合の隙間が小さいＬＥＤ表示装置を提供することをその目的とする。
【課題を解決するための手段】
【０００４】
上記目的を実現するため、本発明によると、ＬＥＤパネルと、ＬＥＤパネルの一側に設けられるマスクと、を含み、マスクが複数の透光カバーユニットを含み、各透光カバーユニットがそれぞれＬＥＤパネルに接着されると共に、ＬＥＤパネルとの間に透光カバーユニットのＬＥＤパネル上の接着位置を限定するための位置決め構造を有するＬＥＤ表示装置を提供する。
【０００５】
さらに、ＬＥＤパネルは複数であり、各ＬＥＤパネルのいずれにも複数の透光カバーユニットが接着される。
【０００６】
さらに、各透光カバーユニットは、ＬＥＤパネルに向かう第１側と、ＬＥＤパネルから離れる第２側とを含み、第２側は、平面状であり、第１側から第２側への方向に沿って透光させる単一方向透光膜が設けられる。
【０００７】
さらに、単一方向透光膜の単一方向透光率は６０％を超える。
【０００８】
さらに、透光カバーユニットの材質はガラス又はプラスチックである。
【０００９】
さらに、透光カバーユニットのＬＥＤパネルの各ＬＥＤランプに対応する位置に、ＬＥＤランプの形状に適応する収納止まり穴が設けられる。
【００１０】
さらに、透光カバーユニットのＬＥＤパネルの各ＬＥＤランプに対応する位置に、収納止まり穴を形成するように中心止まり穴を有する突出部が設けられ、隣り合う二つの突出部間には第１の溝が形成される。
【００１１】
さらに、第１の溝の深さが収納止まり穴の深さ未満である。
【００１２】
さらに、位置決め構造は、ＬＥＤパネルに設けられる少なくとも二つの位置決め孔と、透光カバーユニットに設けられ、各位置決め孔と逐一配合される位置決めコラムと、を含む。
【００１３】
さらに、ＬＥＤパネルは、ランププレートと、ランププレートに設けられるＬＥＤランプとを含み、透光カバーユニットはランププレート又はＬＥＤランプに接着される。
【００１４】
本発明によると、マスクが複数の透光カバーユニットを含み、各透光カバーユニットがいずれもＬＥＤパネルに接着されることによって、透光カバーユニットを枠を用いて固定する必要がなく、これにより、接合の隙間を有効に縮小できる。また、透光カバーユニットとＬＥＤパネルとの間に位置決め構造を有することで各透光カバーユニットのＬＥＤパネルにおける接着位置を制限している。位置決め構造によって位置決めすることによって、透光カバーユニットがＬＥＤパネルに接続される位置が一層正確であって、接合の隙間の縮小に有利である。本願の技術案によると、接合の隙間を有効に縮小できる。
【図面の簡単な説明】
【００１５】
本発明の一部を構成する図面は本発明を理解させるためのもので、本発明における実施例及びその説明は本発明を解釈し、本発明を不当に限定するものではない。
【００１６】
【図１】本発明に係るＬＥＤ表示装置の実施例１の一部の構造を示す図である。
【図２】図１に示すＬＥＤ表示装置のマスクの透光カバーユニットの第１側を示す図である。
【図３】図２に示す透光カバーユニットのＡ部分を拡大した図である。
【図４】図２に示す透光カバーユニットの第２側を示す図である。
【図５】本発明に係るＬＥＤ表示装置の実施例３の透光カバーユニットの底面図である。
【図６】図５に示す透光カバーユニットのＢ部分を拡大した図である。
【発明を実施するための形態】
【００１７】
なお、矛盾しない限り、本願の実施例及び実施例中の特徴を互いに組み合わせることができる。以下、図面を参照しつつ実施例と共に本発明を詳しく説明する。
図１に示すように、実施例１のＬＥＤ表示装置は、ＬＥＤパネル１と、マスクとを備える。マスクは、ＬＥＤパネル１の一側に設けられていて、マスクは複数の透光カバーユニット１０を含み、各透光カバーユニット１０はいずれも、ＬＥＤパネル１に接着され、また、透光カバーユニット１０とＬＥＤパネル１との間に、各透光カバーユニット１０のＬＥＤパネル１における接着位置を限定するための位置決め構造が設けられる。位置決め構造を介して位置決めすることによって、透光カバーユニットがＬＥＤパネルに接続される位置が一層正確になり、接合の隙間の縮小に有利である。
【００１８】
ＬＥＤパネル１は、ランププレートと、ランププレートに設けられるＬＥＤランプとを含み、透光カバーユニット１０はランププレート又はＬＥＤランプに接着される。図１に示すように、実施例１において、マスクの複数の透光カバーユニット１０の構造は同じであって、ＬＥＤパネル１にアレイ状に配置される。また、マスクの複数の透光カバーユニット１０の構造が同じでないことも可能であることは言うまでもない。
【００１９】
実施例１において、ＬＥＤパネル１は複数であり、各ＬＥＤパネル１にいずれも、複数の透光カバーユニット１０が接着されることが好ましい。これにより、既存技術の複数のＬＥＤパネルが一つのガラス又はプラスチックプレートに対応する技術案に比べ、透光カバーユニット１０のサイズを大幅に縮小できる。従って、透光カバーユニット１０を枠を用いて固定する必要がなく、接合の隙間を有効に縮小できる。一方、透光カバーユニット１０のサイズを縮小したので、加工性問題を有効に解決し、透光カバーユニット１０の加工精度を向上させる。透光カバーユニット１０のサイズが小さいほど、外形の精度は高く、一致性も優れる。従って、接合した後の差異も小さく、隙間も小さく、且つ、表示効果に影響を与えない範囲に制御することができるので、表示のニーズを満たすことができる。ここで、図１に実施例１のＬＥＤ表示装置の一つのＬＥＤパネル及びそれに接続される複数の透光カバーユニット１０のみを示している。
【００２０】
図２〜図４に示すように、各透光カバーユニット１０は、ＬＥＤパネル１に向かう第１側１１と、ＬＥＤパネル１から離れる第２側１２とを含み、第２側１２は平面状であって、第２側１２に単一方向透光膜が設けられ、単一方向透光膜は第１側１１から第２側１２への方向に沿って透光させる。従って、ＬＥＤランプが点灯されない場合、視聴者は第２側からＬＥＤパネルを見ることができなく、ＬＥＤランプが点灯された場合のみ、視聴者が第２側からＬＥＤパネルに表示された内容を見ることができる。これにより、粒状感を有効に除去し、視聴者の視覚体験を有効に向上させる。
【００２１】
上記単一方向透光膜は、透光カバーユニットの第２側の表面にめっきすることで形成されることができ、良好な表示効果を実現するため、単一方向透光率が６０％を超える単一方向透光膜を用いることが好ましい。透光カバーユニットの材質は透明なプラスチックでなければならなく、ガラス又はプラスチックであることが好ましい。表示効果を向上させ、ＬＥＤランプの光が側面から漏れることを防止するため、図３に示すように、実施例１において、透光カバーユニット１０の、ＬＥＤパネル１の各ＬＥＤランプに対応する位置にＬＥＤランプ形状に適応する収納止まり穴１３が設けられて発光型光コップを形成する。同時に、当該収納止まり穴１３も透光カバーユニット１０がＬＥＤパネル１に接着される際に良好な位置決め役割を果たし、正確に位置決めし、接合の隙間を一層縮小する。
【００２２】
図３に示すように、実施例１において、透光カバーユニット１０上の、ＬＥＤパネル１の各ＬＥＤランプに対応する位置に突出部１４が設けられていて、突出部１４は上記収納止まり穴１３を形成するための中心止まり穴を有する。上記収納止まり穴１３が各ＬＥＤランプと逐一対応し、マスクの平坦性及び一致に有利である。透光カバーユニットの強度を補強するため、隣り合う二つ突出部１４間に第１の溝１５が設けられる。第１の溝１５の深さが収納止まり穴１３の深さ未満であることが好ましい。
【００２３】
透光カバーユニット１０とＬＥＤパネル１との位置決めに用いられる位置決め構造をさまざまな形態で実現することができ、図３に示すように、実施例１において、位置決め構造は相互に配合する位置決め孔と位置決めコラム１６を含み、位置決め孔は少なくとも二つでＬＥＤパネル１に設けられ、位置決めコラム１６は位置決め孔と同じ数量で透光カバーユニット１０上に形成されることが好ましい。
【００２４】
既存技術において、ディスプレイ市場の発展に伴って、ミラー型ディスプレイは広告展示等の分野に汎用されている。既存技術において、ミラー型ディスプレイは、通常、ミラー型液晶プラズマディスプレイを用いていて、ディスプレイの外部に膜付きガラス又はプラスチックプレートを設けることでミラー効果を実現する。しかし、上記構造には背景技術部分に記載の問題が存在し、その他、上記構造に更に以下の問題が存在する：
１、強度が要求されるので、ガラス又はプラスチックプレートのサイズが大きいほど、厚みが厚く、重量が増加される。
２、サイズが大きいので、平坦性を保証しにくく、凹み又は突出しやすく、魔法の鏡の効果を形成してしまう。
【００２５】
本発明の実施例２のＬＥＤ表示装置（図示されない）によると、上記の問題を有効に解決でき、実施例２のＬＥＤ表示装置は、第２側の構造で上記実施例と異なっている。実施例２において、各透光カバーユニットは、ＬＥＤパネルに向かう第１側と、ＬＥＤパネルから離れる第２側をと有し、第２側は平面状であって、ミラー型半透過膜が第２側に設けられている。接着して接続されるので、マスク全体の平坦及び一致性を保証しやすい。ＬＥＤランプが点灯されていない場合、視聴者は第２側からＬＥＤパネルを見ることができなく、マスクの表面がミラー効果を形成し、ＬＥＤランプが点灯された場合、視聴者は第２側からＬＥＤパネルに表示された内容を見ることができる。従って、粒状感を有効に除去し、視聴者の視覚体験を有効に向上させる。実施例２の技術案によると、ＬＥＤ表示装置の接合の隙間が小さく、且つ、平坦性に優れ、凹み又は突出することがない。
【００２６】
既存技術において、ディスプレイ市場の発展に伴って、裸眼３Ｄ表示装置が広告展示等の分野に汎用されている。既存技術において、ディスプレイの外部にガラス又はプラスチックプレートを追加し、ガラスとプラスチックプレートに格子膜を接着することで形成される。しかし、上記構造には背景技術部分に記載の問題が存在し、その他、上記構造には以下の問題も存在している。
強度が要求されるので、ガラス又はプラスチックプレートのサイズが大きいほど、厚みが厚く、重量が増加される。
【００２７】
本願の実施例３のＬＥＤ表示装置によると、上記問題を有効に解決でき、実施例３のＬＥＤ表示装置は、第２側の構造で上記実施例と異なっている。各透光カバーユニット１０は、ＬＥＤパネル１に向かう第１側１１と、ＬＥＤパネル１から離れる第２側１２とを有し、図５と図６に示すように、第２側１２に格子構造が設けられていて、これにより、裸眼３Ｄ効果を実現できる。そして、接着して接続されるので、マスク全体の平坦性及び一致性を保証しやすい。実施例３の技術案によると、ＬＥＤ表示装置の接合の隙間が小さく、且つ、平坦性が優れている。
【００２８】
図５と図６に示すように、第２側１２に複数の平行する第２の溝１７が設けられて格子構造を形成している。図６に示すように、表示効果を向上させるため、第２の溝１７の横断面がＶ形であることが好ましい。
【００２９】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【００３０】
１  ＬＥＤパネル
１０  透光カバーユニット
１１  第１側
１２  第２側
１３  収納止まり穴
１４  突出部
１５  第１の溝
１６  位置決めコラム
１７  第２の溝
【図１】
0006267242.tif 000002
【図２】
0006267242.tif 000003
【図３】
0006267242.tif 000004
【図４】
0006267242.tif 000005
【図５】
0006267242.tif 000006
【図６】
0006267242.tif 000007